(57)【要約】      （修正有）【課題】スイカ割り玩具に関し、特に何回でも使用が可能であり、子供でも大人でも容易にスイカ割りゲームを楽しむことのできる安全なスイカ割り玩具を提供する。【解決手段】外側にスイカの模様を形成し、内側にスイカの割れた状態を模した合成樹脂からなる複数のスイカ形状片１１の下端を外方付勢ヒンジ６で連結し、該外方付勢ヒンジに抗してスイカ形状片の上端をつた状フック２で係止してスイカ形状球体１を形成し、つた状フックを叩き棒で叩いた時に、つた状フックが外されて複数のスイカ形状片が開成され、且つ、目隠しされた遊戯者を誘導するためのメロディを発音装置より発音させるためのスイッチ３をスイカ形状片の外側に設けると共に遊戯者がつた状フックに叩き棒を当ててスイカ形状片が開成した時に、振動センサーが感知して発音装置から当り音を発音するように構成したスイカ割り玩具。【選択図】図３
0003111383.tif 000002
【実用新案登録請求の範囲】
【請求項１】
外側にスイカの模様を形成し、内側にスイカの割れた状態を模した合成樹脂からなる複数のスイカ形状片の下端を外方付勢ヒンジで連結し、該外方付勢ヒンジに抗してスイカ形状片の上端をつた形状フックで係止してスイカ形状球体を形成し、つた状フックを叩き棒で叩いた時に、つた状フックが外されて複数のスイカ形状片が開成されるように構成したことを特徴とするスイカ割り玩具。
【請求項２】
スイカ形状片内には発音装置が収納されており、目隠しされた遊戯者を誘導するためのメロディを発音装置より発音させるためのスイッチをスイカ形状片の外側に設けると共に遊戯者がつた状フックに叩き棒を当ててスイカ形状片が開成した時に、振動センサーが感知して発音装置から当り音を発音するように構成したことを特徴とする請求項１記載のスイカ割り玩具。
【請求項３】
叩き棒はパイプ状のビニル樹脂等で形成されて両端を密閉され空気を挿入できるバルブを具え、使用時に空気を入れて棒状にするように構成されたことを特徴とする請求項１記載のスイカ割り玩具。
【考案の詳細な説明】
【技術分野】
【０００１】  本考案は、浜辺の砂浜や室内に於いても容易にスイカ割りゲームができるスイカ割り玩具に関し、特に何回でも使用が可能であり、子供でも大人でも容易にスイカ割りゲームを楽しむことのできる安全なスイカ割り玩具に関する。
【背景技術】
【０００２】  従来、スイカ割り玩具にはプラスチック製の球状体が分割され、その分割面に磁石を収納して、分割された後に再び磁石の吸引力で元の球体を形成して反復して遊ぶように構成されたものが知られている。【０００３】  このような従来のスイカ割り玩具では、一旦分割されたスイカの分割面に磁石を内蔵させて、反復使用する球体を組み立てる場合は磁石による吸引力を利用するものであった。例えば、下記の特許文献１，２参照を参照することができる。【０００４】
【特許文献１】          特開平２００３−１４４７７３号公報
【特許文献２】          実開昭５９−１６６９０号公報
【考案の開示】
【考案が解決しようとする課題】
【０００５】  上述した特許文献１のパックン西瓜においては、子供がスイカに模した球体をころがして遊び、壊れて喜ぶ子供の心理を捉えて提案されたものであるが、分割された各片を再度組み立てるには、合成樹脂発泡体に磁石を内蔵させたものを利用して、その吸引力で組み立てるものであった。【０００６】  また、上述した特許文献２の西瓜割り玩具においても、前記の場合と同様に分割された各片を磁石を利用して再度組み立てるものであり、両者とも分割時の分割音や遊戯者を誘導するメロディを発するような付加価値を有するものではなかった。【０００７】  本考案はこのような事情に鑑みてなされたものであり、スイカが割れた時の音や、目隠しされた遊戯者を誘導するための発音装置をスイカ形状球状内に収納して、遊戯具としての付加価値を高め、遊戯者の楽しみ方を増したスイカ割り玩具を提供することを目的とするものである。
【課題を解決するための手段】
【０００８】  このような目的に応えるために本考案に係るスイカ割り玩具は、外側にスイカの模様を形成し、内側にスイカの割れた状態を模した合成樹脂からなる複数のスイカ形状片の下端を外方付勢ヒンジで連結し、該外方付勢ヒンジに抗してスイカ形状片の上端をつた状フックで係止してスイカ形状球体を形成し、つた状フックを叩き棒で叩いた時に、つた状フックが外されて複数のスイカ形状片が開成されるように構成したことを特徴とし、スイカ形状片内には発音装置が収納されており、目隠しされた遊戯者を誘導するためのメロディを発音装置より発音させるためのスイッチをスイカ形状片の外側に設けると共に遊戯者がつた状フックに叩き棒を当ててスイカ形状片が開成した時に、振動センサーが感知して発音装置から当り音を発音するように構成したことを特徴とし、叩き棒はパイプ状のビニル樹脂等で形成されて両端を密閉され空気を挿入できるバルブを具え、使用時に空気を入れて棒状にするように構成されたことを特徴とするスイカ割り玩具である。
【考案の効果】
【０００９】  本考案に係るスイカ割玩具によれば、興味深く何度でも反復して使用でき、特に遊戯者が目隠しされてスイカを割るゲームで、スイカ形状球体から方向を誘導するメロディがながれ、スイカ形状球体を割った時には更に割った時の音がでるように構成したので、幼児や子供たちが非常に喜び、再度組み立てる場合でも極めて簡単に元のスイカ形状球体に形成できるものである。
【考案を実施するための最良の形態】
【００１０】  図面において、図１は本考案に係るスイカ割り玩具の正面図である。図２は本考案に係るスイカ割り玩具の断面図である。図３はスイカ形状片が開成された斜視図である。図４は使用例を示す説明図である。【００１１】  本考案のスイカ割り玩具は、外側にスイカの模様を形成し、内側にスイカの割れた状態を模した合成樹脂からなる複数のスイカ形状片１１、１２の下端を外方付勢ヒンジ６で連結し、該外方付勢ヒンジ６に抗してスイカ形状片１１、１２の上端をつた状フック２の係止部２１で係止して図１に示すようにスイカ形状球体１を形成し、つた状フック２を叩き棒７で叩いた時に、つた状フック２の係止部２１が外されて複数のスイカ形状片１１、１２が、図３に示すように、あたかもスイカが割れたようにスイカ形状片１１、１２が開成されるように構成されたものである。【００１２】  図２に示す外方付勢ヒンジ６は、常にスイカ形状片１１、１２を外側方向に付勢しているので、従って、つた状フック２を叩き棒７で叩いた時に、つた状フック２の係止部２１が外されて複数のスイカ形状片１１、１２が、図３に示すように、あたかもスイカが割れたようにスイカ形状片１１、１２が瞬時に開成されるように構成されている。【００１３】  スイカ形状片１１、１２の内側は図３に示すように、それぞれスイカ内側模様１１０、１２０が施されているので、割れた瞬間に目隠し９を外した遊戯者８は、実際にスイカを割った臨場感を視覚的に感じることになり、興味を増すスイカ割りゲームを行うことができる。【００１４】  図２に示すように、スイカ形状片１２内には発音装置４が収納されており、目隠し９をされた遊戯者８を誘導するためのメロディを発音装置４より発音させるためのスイッチ３を図１に示すようにスイカ形状片１２の外側に設けると共に、遊戯者８が、つた状フック２に叩き棒７を当ててスイカ形状片１１、１２が開成した時に、振動センサー５が開成時の振動を感知して発音装置４から当り音を発音するように構成している。【００１５】  叩き棒７はパイプ状のビニル樹脂等で形成されて両端を密閉され空気を挿入できるバルブ（図示せず）を備え、使用時に空気を入れて棒状にするように構成し、図４に示すように使用される。
【図面の簡単な説明】
【００１６】
【図１】本考案に係るスイカ割り玩具の正面図である。
【図２】本考案に係るスイカ割り玩具の断面図である。
【図３】スイカ形状片が開成された斜視図である。
【図４】使用例を示す説明図である。
【符号の説明】
【００１７】    １・・・・・スイカ形状球体
１１・・・・・スイカ形状片
１１０・・・・・スイカ内側模様
１２・・・・・スイカ形状片
１２０・・・・・スイカ内側模様
２・・・・・つた状フック
２１・・・・・係止部
３・・・・・スイッチ
４・・・・・発音装置
５・・・・・振動センサー
６・・・・・外方付勢ヒンジ
７・・・・・叩き棒
８・・・・・遊戯者
９・・・・・目隠し
【図１】
0003111383.tif 000003
【図２】
0003111383.tif 000004
【図３】
0003111383.tif 000005
【図４】
0003111383.tif 000006
【手続補正書】
【提出日】平成17年3月14日(2005.3.14)
【手続補正１】
【補正対象書類名】実用新案登録請求の範囲
【補正対象項目名】請求項３
【補正方法】変更
【補正の内容】
【請求項３】
パイプ状のビニル樹脂等で形成されて両端を密閉され空気を挿入できるバルブを備え、使用時に空気を入れて棒状にするように構成されたことを特徴とするスイカ割り玩具用の叩き棒。